(57)【要約】【課題】新たな部品が必要となることによる製品コストの上昇を抑制し、かつ、画像の鮮明度の低下を抑制しながら、不要輻射、特にはノーマルモードノイズの不要輻射をより低減することができるベゼル、表示素子及び表示装置を提供する。【解決手段】本発明のベゼル１０は、ループを構成しない導電体によって構成されているので、ノイズを放射するループアンテナとして機能しない。【選択図】図１
2008096835.tif 000002
【特許請求の範囲】
【請求項１】
表示パネルに用いられるベゼルであって、
ループを構成しない導電体によって構成されていることを特徴とするベゼル。
【請求項２】
表示パネルに用いられるベゼルであって、
ループの少なくとも一箇所が分断された形状の導電体からなる部分と、
前記分断された箇所に於ける導電体の一端と他端とを接続する非導電体からなる部分とによって、ループ状に構成されていることを特徴とするベゼル。
【請求項３】
前記表示パネルに、請求項１又は２に記載のベゼルが備えられていることを特徴とする表示素子。
【請求項４】
請求項３に記載の表示素子が備えられていることを特徴とする表示装置。
【発明の詳細な説明】
【技術分野】
【０００１】
本発明は、ＥＭＩ（Electromagnetic Interference：機器から発生する電磁妨害）対策が施されたベゼル、表示素子及び表示装置に関するものである。
【背景技術】
【０００２】
従来、表示パネルの保護及び固定などを目的として、ベゼルが広く使われている。
【０００３】
図１２及び図１３は、いずれも従来技術を示すものであり、図１２はベゼル１１０の斜視図、図１３は液晶表示素子１０２の平面図である。
【０００４】
図１２に示すように、ベゼル１１０はいわゆる金属製のシャーシであり、４本の金属辺によってロの字形状に形成された枠１１０ｃをその主要部としている。
【０００５】
また、図１３に示すように、ベゼル１１０は、液晶パネル１０６などの表示パネルの表示面の周辺部を取り囲み、かつ前記表示面の表示部（表示面の周辺部以外の部分）に対応する位置が開口されることによって、前記表示パネルに対して額縁形状に形成されている。
【０００６】
このベゼルの材料として金属材料が用いられる主な理由は、剛性の確保が容易だからである。すなわち、樹脂材料を用いたベゼルと同程度の剛性を確保する場合、厚みを薄くすること及び額縁の幅を狭くすることが可能だからである。具体的な金属材料としては、例えばアルミ、鉄、ステンレスなどが用いられる。
【０００７】
また、ベゼルの材料として金属が用いられる他の理由は、表示パネルの駆動回路素子を静電的及び電磁的に遮蔽するためである。
【０００８】
まず、静電的な遮蔽（静電遮蔽）について説明する。駆動回路素子の静電遮蔽には、（１）駆動回路素子から発生する静電気を逃がすことによって、スパークによる素子破壊、及び静電容量による誤作動を防止することと、（２）駆動回路素子が、外部からの電界の影響を受けることを防止することとが含まれる。そして、（１）、（２）のいずれについても、ベゼルを金属で形成し、且つ、例えばベゼルを表示装置の筐体に含まれるケースやシャーシなどのフレームグランドを構成する金属部材に接続することで行う。
【０００９】
次に、電磁的な遮蔽（電磁遮蔽）について説明する。この電磁遮蔽は、主に表示素子に関するノイズ対策、具体的にはＥＭＣ（Electromagnetic Compatibility：電磁環境適合性）対策の観点から要求される。そして、このＥＭＣ対策には、ＥＭＳ（Electromagnetic Susceptibility：機器の妨害耐力）対策と前記ＥＭＩ（Electromagnetic Interference：機器から発生する電磁妨害）対策とが含まれる。前者のＥＭＳ対策とは、外部からのノイズの影響を低減する対策であり、後者のＥＭＩ対策とは、外部へのノイズの影響を低減する対策を意味する。そして、ベゼルが金属で形成されていると、ベゼルの有する電磁遮蔽効果によって、後者の外部へのノイズの影響をある程度抑制することができる（ＥＭＩ対策）。
【００１０】
以上のように、ベゼルの材料として金属を用いることによって、剛性の確保のみならず、駆動回路素子の静電遮蔽及び電磁遮蔽を図ることができる。
【００１１】
しかし、上記の金属で形成されたベゼルを用いても、ＥＭＩ対策は十分なものではなく、外部へのノイズの影響が残っていた。
【００１２】
そこで、金属製のベゼルを用いる構成以外のＥＭＩ対策として、種々の構成が提案されている。例えば、特許文献１には、ディスプレイ前面に電磁波シールド性フィルムを配置する構成が提案されている。また、特許文献２にはディスプレイ前面に電磁波吸収フィルターとして機能する保護パネルを配置する構成が提案されている。
【特許文献１】特開平１１−２３３９９２号公報（１９９９年８月２７日公開）
【特許文献２】特開平１１−３５２８９７号公報（１９９９年１２月２４日公開）
【発明の開示】
【発明が解決しようとする課題】
【００１３】
しかしながら、前記特許文献１及び特許文献２に記載された構成は、ＥＭＩ対策としてはある程度効果があるものの、新たな部品が必要となり製品コストの上昇を招く点、及び、ディスプレイと観者との間にフィルムやフィルターなどが配置されるため、画像の鮮明度が低下する点などの問題点を有している。
【００１４】
ここで、ＥＭＩ対策及び表示素子の内部で発生するノイズについてさらに詳しく説明する。
（不要輻射対策とノイズ端子電圧対策）
まず、ＥＭＩ対策に含まれるノイズ対策としては、不要輻射対策とノイズ端子電圧対策とがある。不要輻射対策とは、機器から直接放射される電波に対する対策であり、ノイズ端子電圧対策とは、ＡＣ（Alternate Current）電源ラインに伝導する電圧ノイズに対する対策である。
【００１５】
表示装置におけるＥＭＩ対策としては、前者の不要輻射対策が主となる。これは、表示装置には、駆動回路など種々の回路が含まれているため、そこから発生するノイズが大きいためである。
（ノーマルモードノイズとコモンモードノイズ）
次に、前記不要輻射対策の対象となるノイズについてより詳しく説明する。不要輻射対策の対象となる主なノイズには、ノーマルモードノイズとコモンモードノイズとがある。ノーマルモードノイズとは、主に基板からの放射によるノイズであり、他方コモンモードノイズとは、主にケーブルからの放射によるノイズである。
【００１６】
図１０はノーマルモードノイズの放射モデルを示す概念図であり、図１１はコモンモードノイズの放射モデルを示す概念図である。図１０及び図１１において、太線片矢印はノイズ電流を表し、細線片矢印は放射されるノイズ電波を表す。また図１１の両矢印は、ダイポールアンテナモデルにおけるアンテナ長を表す。
【００１７】
図１０に示すように、ノーマルモードノイズは、送信側から負荷側へ接続される回路と負荷側から帰ってくる回路との組合せによって構成されるループ回路にノイズ電流（図１０の太線片矢印）が流れることによって発生するノイズであり、この回路がループアンテナの働きをすることによってノイズ電波（図１０の細線片矢印）として放射される。ここで、ループアンテナから放射されるノイズ（ノイズ電波）は、ループ回路によって囲まれたループ面の面積とノイズ電流の２乗とに比例する。
【００１８】
一方、図１１に示すように、コモンモードノイズは、ケーブルの各ラインが基準電位面であるグランドからの電位をもち、そこにノイズ電流（図１１の太線片矢印）が流れることによって発生するノイズであり、このケーブルがダイポールアンテナの働きをすることによってノイズ電波（図１１の細線片矢印）をして放射される。ここで、ダイポールアンテナから放射されるノイズ（ノイズ電波）は、アンテナ長とノイズ電流の２乗とに比例する。
【００１９】
そして、本発明者は、表示素子において表示パネルの保護などに用いられるベゼルが、前記ノーマルモードノイズを放射するループアンテナとして機能して、ノーマルモードノイズの不要輻射をより強める可能性があることを見出した。
【００２０】
詳しくは、例えばユーザーインターフェイスからの入力がコントロール基板を介して駆動回路素子に入力され、特に高周波のノーマルモードノイズが発生した場合、このノイズが金属製のベゼルに伝播してベゼルに微少電流が生じる。そして、この微少電流がベゼルを周回することによって、ベゼルがループアンテナとして機能し、ノイズ電波の放射に寄与している可能性があることを見出した。
【００２１】
以上のように、剛性の確保のみならずＥＭＩ対策としても用いられていたベゼルが、ＥＭＩ対策に反する作用であるノイズ電波放射作用を有していることによって、ノイズ電波の放射を確実に抑制することができず、ＥＭＩ対策が不十分になっていたと考えられる。そこで、本発明は、上記の問題点及び表示素子のノイズに対する考察に鑑みてなされたものであり、その目的は、新たな部品が必要となることによる製品コストの上昇を抑制し、かつ、画像の鮮明度の低下を抑制しながら、不要輻射、特にはノーマルモードノイズの不要輻射をより低減することができるベゼル、表示素子及び表示装置を提供することにある。
【課題を解決するための手段】
【００２２】
本発明に係るベゼルは、前記課題を解決するために、表示パネルに用いられるベゼルであって、ループを構成しない導電体によって構成されていることを特徴としている。
【００２３】
前記の構成によれば、ベゼルが導電体のループを構成していないので、ベゼルはループアンテナとして機能しない。したがって、ベゼルは、表示素子内から発生したノイズ、特にノーマルモードノイズを放射するアンテナとはならないので、表示素子内で発生したノイズが表示素子外に放射されることを助長することがない。その結果、不要輻射をより確実に抑制することができる。
【００２４】
しかも、前記の構成は、従来表示素子に用いられていたベゼル自体について導電体のループを構成しないようにしたものである。すなわち、従来用いられていなかった新たな部品を追加するものではない。したがって、新たな部品が必要となることによる製品コストの上昇を抑制することができる。
【００２５】
さらに、前記の構成は、ベゼルに特徴を有する構成であり、表示面の表示部に部材を配置した構成ではない。したがって、画像の鮮明度の低下を抑制することができる。
【００２６】
以上より、前記の構成によって、新たな部品が必要となることによる製品コストの上昇を抑制し、かつ、画像の鮮明度の低下を抑制しながら、不要輻射、特にはノーマルモードノイズの不要輻射をより低減することができるベゼルを提供することができる。
【００２７】
また、本発明に係るベゼルは、表示パネルに用いられるベゼルであって、ループの少なくとも一箇所が分断された形状の導電体からなる部分と、前記分断された箇所に於ける導電体の一端と他端とを接続する非導電体からなる部分とによって、ループ状に構成されていることを特徴とする。
【００２８】
前記の構成によれば、ベゼルに分断部分が形成されることによって生じる可能性があるベゼルの強度低下を抑制することができる。以下に説明する。
【００２９】
ベゼルは、前記の通り表示パネルの保護などを目的として用いられている。そこで、例えばループの一形態であるロの字形のベゼルの、縦辺に位置する辺に分断されている部分が形成された場合、表示パネルが落下したときなど、ベゼルの強度不足に起因する表示パネルの損傷が発生することが考えられる。この点前記構成によれば、分断によって生じた導電体の端部が絶縁体などの非導電体によって連結されているので、ベゼルは、全体としてみると分断部分のない完全なロの字形状を有している。したがって、ベゼルの強度低下が抑制されているので、表示パネルの損傷を抑制することができる。
【００３０】
また、前記の構成によれば、非導電体によって相対する導電体の端部の連結が行われているので、枠は導電体のループを構成しない。したがって、前記不要輻射をより抑制するという本発明の課題の達成を阻害することもない。
【００３１】
なお、前記の構成によれば、非導電体という新たな部品が必要となる。しかし、この非導電体は、ベゼルにおける分断部に配置されるものであるので、例えば、表示素子の表示面の全面に配置される部品とは異なり、製造コストの増加は軽微ですむ。したがって、前記の構成によってもなお、本発明の課題である製品コストの上昇を抑制することができる。
【００３２】
また、本発明に係る表示素子は、前記表示パネルに前記ベゼルが備えられていることを特徴としている。また、本発明に係る表示装置は、前記表示素子が備えられていることを特徴としている。
【００３３】
ここで、表示素子とは、少なくとも表示パネルとベゼルとを備え、一般的には、さらに光源装置や駆動回路素子などを備える表示用部品ユニットであって、種々の表示装置においてその表示を司る部品として用いられる表示用部品ユニットである。
【００３４】
また、表示装置とは、上記表示素子が備えられた装置を指す。具体的には、表示パネルとして例えば液晶パネルを用いる場合は、表示装置とは液晶テレビや液晶モニターをさし、表示パネルとしてプラズマパネルを用いる場合は、表示装置とは、プラズマテレビやプラズマモニターをさす。
【００３５】
前記の構成によれば、表示素子又は表示装置に、上記枠が導電体のループを構成していないベゼルが備えられているので、新たな部品が必要となることによる製品コストの上昇を抑制し、かつ、画像の鮮明度の低下を抑制しながら、不要輻射、特にはノーマルモードノイズの不要輻射をより低減することができる表示素子及び表示装置を提供することができる。
【発明の効果】
【００３６】
本発明に係るベゼル、表示素子及び表示装置は、以上のように、ベゼルがループを構成しない導電体によって構成されているので、新たな部品が必要となることによる製品コストの上昇を抑制し、かつ、画像の鮮明度の低下を抑制しながら、不要輻射、特にはノーマルモードノイズの不要輻射をより低減することができるベゼル、表示素子及び表示装置を提供することができるという効果を奏する。
【発明を実施するための最良の形態】
【００３７】
〔実施の形態１〕
本発明の一実施の形態について図１〜図３に基づいて説明すると以下の通りである。
【００３８】
図２は本実施の形態の液晶表示素子２の分解斜視図である。図２に示すように、本実施の形態の表示素子である液晶表示素子２は、光源装置５、表示パネルとしての液晶パネル６、駆動回路素子７及びこれらを一体として保持するためのベゼル１０とを備える。そして、液晶表示素子２は、駆動回路素子７の実装された液晶パネル６が光源装置５とベゼル１０とにはさまれた状態で、光源装置５とベゼル１０とがねじ止めされることによって一体化されている。
【００３９】
次に、本願の特徴であるベゼル１０について説明する。図１は本実施の形態のベゼル１０の斜視図である。図１に示すように、ベゼル１０は、金属辺によって構成された枠１０ｃをその主要部とし、液晶パネル（図示せず）の外縁に配置され、周囲４辺を覆うような額縁形状、言い換えるとロの字形状（長方形や正方形などの四角形状）になるように形成されている。詳しくは、ベゼル１０は、液晶パネル（図示せず）の周囲の端面、及び液晶パネル（図示せず）の表示面上の縁部を覆うように、その断面がＬ字状になるように成型されている。
【００４０】
そして、本実施の形態のベゼル１０には、前記ロの字形状の短辺に位置する金属辺の一部分が分断されることによって、分断部（図１のＡ部分）が形成されている。分断部（Ａ）とは、電気の導通が遮断される部分を意味する。
【００４１】
分断部（Ａ）における分断の幅は特には限定されず、電気の導通が遮断されれば良い。また、分断部（Ａ）の形成方法は、特には限定されず、例えば、まず分断部（Ａ）の形成されていない完全なロの字形状のベゼル１０を形成した後に、その一部分を分断することによって分断部（Ａ）を形成しても良いし、あるいは、ベゼル１０を成形する際に、あらかじめ分断部（Ａ）となる分断が設けられた形状に成形しても良い。
【００４２】
上述のようにベゼル１０に分断部（Ａ）が形成されることによって、ベゼル１０は導電体によるループを構成しない。したがってループアンテナとして機能することがなく、光源装置５や駆動回路素子７など液晶表示素子２の内部部品で発生したノイズの放射をより確実に低減することができる。
【００４３】
また、図３は本実施の形態の液晶表示素子２の平面図である。図３に示すように、本実施の形態の液晶表示素子２では、液晶パネル６の表示部に電磁波遮断シートなどのノイズ放射低減のための部材を配置しないので、液晶表示素子２の表示に影響を及ぼすことなく、ノイズの放射を低減することができる。
【００４４】
また、図１及び図２に示すように、本実施の形態のベゼル１０には、ベゼル１０と前記光源装置５とを固定するための主固定手段１１が設けられている。具体的には、ベゼル１０の４隅近傍部分には、光源装置５とねじ止めするために、主固定手段１１としてのねじ穴が設けられている。そして、前記ねじ穴を介して、ベゼル１０と光源装置５とは液晶パネル６を挟んだ状態で、ねじ止めによって固定されている。
【００４５】
なお、ベゼル１０と光源装置５との固定方法は、前記ねじによる方法に限定されず、例えば、勘合、接着、溶着などが用いられ、主固定手段１１は、用いられる固定方法に応じた構成とされる。
【００４６】
そして、本実施の形態のベゼル１０には、前記４隅近傍部分に設けられた主固定手段１１に加えて、前記分断部（Ａ）の近傍に、前記光源装置５と固定するための補助固定手段１２が設けられている。この補助固定手段１２を介してのベゼル１０と光源装置５との固定方法は、特に限定されず、例えば、前記主固定手段１１を介してのベゼル１０と光源装置５との固定方法と同様に、ねじ止め、勘合、接着、溶着などが用いられる。
【００４７】
このように前記分断部（Ａ）の近傍部に補助固定手段１２が形成され、この補助固定手段１２を介してベゼル１０と光源装置５とが固定されることによって、ベゼル１０に分断部（Ａ）を形成することに起因するベゼル１０及び液晶表示素子２の強度低下を抑制することができる。特に、この分断部（Ａ）に後述する補強部材等が配置されない場合には、強度を保つ上で特に効果がある。
【００４８】
なお、前記説明においては、ベゼル１０は、当初より一体として成形されているもの、及び一体として成形された後に分断部（Ａ）が形成されるものを例にして説明したが、ベゼル１０の構成はこれに限定されない。例えば、ベゼル１０は、複数の部材がねじ止めなどを固定手段として組み立てられることによってロの字形状が形成される構造でもよい。
【００４９】
また、前記説明においては、電気の導通が遮断される分断部（Ａ）は、金属辺の分断によって構成されるものを例にして説明したが、分断部（Ａ）の構成はこれに限定されず、分断部（Ａ）において電気の導通が遮断されれば良い。
【００５０】
また、前記説明においては、金属辺の一辺に、一つの分断部（Ａ）が形成される構成について説明したが、分断部（Ａ）が形成される金属辺の数や、一の金属辺に形成される分断部（Ａ）の数は特に限定されず、例えば、二つ以上の金属辺に、各々複数個の分断部（Ａ）を形成しても良い。
【００５１】
〔実施の形態２〕
本発明の他の実施の形態について図４及び図５に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００５２】
本実施の形態の液晶表示素子２は、前記実施の形態１の液晶表示素子２の構成に加えて、分断部（Ａ）に非導電体からなる部分、すなわち絶縁体で形成された補強部材１３が設けられていることを特徴とする。
【００５３】
図４は、本発明の実施の形態を示すものであり、ベゼル１０の斜視図である。図４に示すように、本実施の形態におけるベゼル１０では、分断部（Ａ）において、分断された枠１０ｃが絶縁体から形成された補強部材１３によって連結されている。
【００５４】
詳しくは、この補強部材１３の形状は、ベゼル１０の分断部（Ａ）において対向するベゼル１０の２つの端部を互いに連結するような形状となっている。そして、分断部（Ａ）に補強部材１３が配置されることによって、ベゼル１０は、全体としてそのロの字形状が欠けることなく、分断部（Ａ）が形成されていないベゼル１０と同じ形状になる。
【００５５】
また、補強部材１３は、ベゼル１０の分断部（Ａ）に、単に配置されるだけではなく、ねじ止めによって固定されている。詳しくは、補強部材１３には、ベゼル１０と重畳する部分が設けられており、一方ベゼル１０が補強部材１３と重畳する部分には、ベゼル１０と補強部材１３とを固定するための補強部材固定手段１４が形成されている。本実施の形態のベゼル１０では、この補強部材固定手段１４はねじ止め用のねじ穴として形成されている。そして、ベゼル１０と補強部材１３とは、補強部材固定手段１４としてのねじ穴を介して互いにねじ止めされている。
【００５６】
なお、この補強部材１３とベゼル１０との固定方法は、前記ねじ止めによる方法に限定されず、例えば、勘合、接着、溶着などが用いられ、補強部材固定手段１４は、用いられる固定方法に応じた構成とされる。
【００５７】
また、補強部材１３の材料は、絶縁体であれば特に限定はされず、例えば、プラスチックやポリカーボネートなどの樹脂が用いられる。
【００５８】
本実施の形態のベゼル１０は、分断部（Ａ）に絶縁体からなる補強部材１３が設けられているので、ノイズの放射を低減できることに加えて、金属辺が分断されることによるベゼル１０の強度低下を抑制することができる。
【００５９】
また、図５は本実施の形態の液晶表示素子２の平面図である。図５に示すように、本実施の形態の液晶表示素子２では、液晶パネル６の表示面の周辺部を取り囲むベゼル１０に補強部材１３が配置されているので、液晶表示素子２の表示に影響を及ぼすことなく、ベゼル１０の強度低下を抑制することができる。
【００６０】
〔実施の形態３〕
本発明の他の実施の形態について図６〜図９に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００６１】
本実施の形態の液晶表示素子では、前記他の実施の形態の液晶表示素子と異なり、ベゼル１０が複数の部材が組み立てられることによって形成され、かつその部材の接合部が分断部（Ａ）となることを特徴とする。
【００６２】
図６は、本実施の形態のベゼル１０の斜視図である。また、図７及び図８は、本実施の形態を示すものであり、各々、第一ベゼル部材１０ａ及び第二ベゼル部材１０ｂの斜視図である。ここで第一ベゼル部材１０ａは、ベゼル１０の４辺の内、上下の辺を構成する部材であり、第二ベゼル部材１０ｂは、ベゼル１０の４辺の内、主に左右の辺を構成する部材である。
【００６３】
図６〜図８に示すように、本実施の形態におけるベゼル１０は、一体として成型されたものではなく、第一ベゼル部材１０ａと第二ベゼル部材１０ｂとが組み合わせられ、互いに固定されることによって形成されている。
【００６４】
そして、第一ベゼル部材１０ａと第二ベゼル部材１０ｂとが組み合わされる部分である接合部が、電気の導通を遮断する分断部（Ａ）となっている。以下、説明する。
【００６５】
第一ベゼル部材１０ａと第二ベゼル部材１０ｂとには、互いに重畳する部分が設けられており、その重畳する部分にはベゼル部材固定手段１５が形成されている。そして、組み合わされた第一ベゼル部材１０ａと第二ベゼル部材１０ｂとが、ベゼル部材固定手段１５を介して固定され、全体としてロの字形状のベゼル１０が形成されている。
【００６６】
ここで、いずれも金属材料で形成されている第一ベゼル部材１０ａと第二ベゼル部材１０ｂとが組み合わせられ、例えばねじ止めなどによって固定されると、一般に、その接合部において電気が導通する。
【００６７】
そこで、本実施の形態におけるベゼル１０では、接合部の少なくとも１箇所において、第一ベゼル部材１０ａと第二ベゼル部材１０ｂとを絶縁材を介して組み合わせ、かつ絶縁材を用いて固定することによって、接合部を電気の導通が遮断された分断部としている。以下、具体的に説明する。
【００６８】
図９は、本実施の形態におけるベゼル１０の接合部を示す断面図である。
【００６９】
まず、絶縁材を介しての組合せについて説明する。図９に示すように、第一ベゼル部材１０ａと第二ベゼル部材１０ｂとは、絶縁材で形成された挿入部材２０を介して組み合わされている。この挿入部材２０の材料は、導電性を有しない絶縁材料であれば特に限定されず、例えば絶縁ゴムなどを用いることができる。
【００７０】
次に、絶縁材の用いての固定について説明する。組み合わされた第一ベゼル部材１０ａと第二ベゼル部材１０ｂとの固定方法としては、ねじ止めによる固定方法が一般的である。その場合、第一ベゼル部材１０ａと第二ベゼル部材１０ｂとは、ベゼル部材固定手段１５として形成されたねじ穴を介してねじ止めされ、固定される。
【００７１】
ここで、固定に用いる固定部材２１、すなわち本実施の形態においてはねじ止めに用いるねじとして、導電性を有する金属製のねじを用いたときには、たとえ第一ベゼル部材１０ａと第二ベゼル部材１０ｂとを組み合わせる際に挿入部材２０を介して組み合わせた場合であっても、前記導電性を有するねじによって、第一ベゼル部材１０ａと第二ベゼル部材１０ｂとが電気的に導通することになる。
【００７２】
そこで、本実施の形態におけるベゼル１０では、固定部材２１としてのねじに、絶縁性を有するねじが用いられる。具体的には、絶縁性を有する材料から形成されたねじや、導電性を有するねじに、絶縁性を有する材料がコーティングされたねじなどが用いられる。
【００７３】
これによって、第一ベゼル部材１０ａと第二ベゼル部材１０ｂとの接合部が電気の導通を遮断する分断部（Ａ）となり、その結果ベゼル１０の枠１０ｃが導電体のループとはならない。
【００７４】
本実施の形態のベゼル１０は、分断部（Ａ）が、ベゼル部材の接合部に形成されているので、ノイズの放射を低減できるとともに、補強部材など新たな部材を増やすことなく、ベゼル１０の強度低下を抑制することができる。
【００７５】
なお、ねじ止めによる第一ベゼル部材１０ａと第二ベゼル部材１０ｂとの固定方法において、第一ベゼル部材１０ａと第二ベゼル部材１０ｂとを電気的に導通させない他の方法としては、例えば、ベゼル部材固定手段１５としてのねじ穴の内壁に、絶縁性を有する材料をコーティングする方法などがある。
【００７６】
また、第一ベゼル部材１０ａと第二ベゼル部材１０ｂとの固定方法は、前記ねじ止めによる方法に限定されず、例えば、勘合、接着、溶着などが用いられ、ベゼル部材固定手段１５及び固定部材２１は、用いる固定方法に応じた構成とされる。
【００７７】
また、上記説明においては、接合部の個数が４個の場合について説明したが、接合部の個数は４個に限られない。また、全ての接合部を、電気の導通を遮断する分断部として構成する必要はなく、少なくとも１箇所の接合部を分断部として構成すればよい。
【００７８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００７９】
例えば、導電体のループを構成しない枠は、上記金属辺の一部分を分断することによって形成されるものに限定されず、種々の形成方法が考えられる。例えば、枠を一体として形成する場合において、電気抵抗の異なる複数の金属材料を用いるなどして、枠の一部分を電気抵抗の高い領域としたりすることが考えられる。
【００８０】
また、本発明における表示パネルは、液晶パネルに限定されることはなく、例えば、プラズマ表示パネルやＥＬ（Electro Luminescence）表示パネルなどを用いることができる。
【００８１】
また、同様に、本発明における表示素子は、液晶表示素子に限定されることはなく、用いられる表示パネルに応じて、例えば、プラズマ表示素子やＥＬ表示素子とすることができる。
【００８２】
また、同様に、本発明における表示装置は、液晶テレビや液晶モニターのような液晶表示装置に限定されることはなく、用いられる表示素子に応じて、例えば、プラズマテレビ、プラズマモニター、ＥＬテレビやＥＬモニターをすることができる。
【００８３】
また、本発明のおける光源装置は、特には限定されず、例えば蛍光灯を用いたバックライトや、ＥＬを用いたバックライトなどとすることができる。
【産業上の利用可能性】
【００８４】
本発明は、ベゼルを用いた表示素子及び該表示素子を供えた表示装置に適用できる。例えば、液晶表示素子、プラズマ表示素子、ＥＬ表示素子、液晶表示装置、プラズマ表示装置、ＥＬ表示装置などに適用できる。
【図面の簡単な説明】
【００８５】
【図１】本発明の実施の形態を示すものであり、ベゼルの斜視図である。
【図２】本発明の実施の形態を示すものであり、液晶表示素子の分解斜視図である。
【図３】本発明の実施の形態を示すものであり、液晶表示素子の平面図である。
【図４】本発明の他の実施の形態を示すものであり、ベゼルの斜視図である。
【図５】本発明の他の実施の形態を示すものであり、液晶表示素子の平面図である。
【図６】本発明の他の実施の形態を示すものであり、ベゼルの斜視図である。
【図７】本発明の他の実施の形態を示すものであり、第一ベゼル部材の斜視図である。
【図８】本発明の他の実施の形態を示すものであり、第二ベゼル部材の斜視図である。
【図９】本発明の他の実施の形態を示すものであり、ベゼルの接合部を示す断面図である。
【図１０】ノーマルモードノイズの放射モデル示す概念図である。
【図１１】コモンモードノイズの放射モデルを示す概念図である。
【図１２】従来技術を示すものであり、ベゼルの斜視図である。
【図１３】従来技術を示すものであり、液晶表示素子の平面図である。
【符号の説明】
【００８６】
２      液晶表示素子（表示素子）
５      光源装置
６      液晶パネル（表示パネル）
７      駆動回路素子
１０      ベゼル
１０ａ    第一ベゼル部材
１０ｂ    第二ベゼル部材
１０ｃ    枠
１１      主固定手段
１２      補助固定手段
１３      補強部材
１４      補強部材固定手段
１５      ベゼル部材固定手段
２０      挿入部材
２１      固定部材
１１０    ベゼル
１１０ｃ  枠
１０２    液晶表示素子
１０６    液晶パネル
【図１】
2008096835.tif 000003
【図２】
2008096835.tif 000004
【図３】
2008096835.tif 000005
【図４】
2008096835.tif 000006
【図５】
2008096835.tif 000007
【図６】
2008096835.tif 000008
【図７】
2008096835.tif 000009
【図８】
2008096835.tif 000010
【図９】
2008096835.tif 000011
【図１０】
2008096835.tif 000012
【図１１】
2008096835.tif 000013
【図１２】
2008096835.tif 000014
【図１３】
2008096835.tif 000015